(57)【特許請求の範囲】
【請求項１】
スポーツ用のアイウェア用を着用者の頭に固定するストラップであって、
前記ストラップは、テンショナにおいて前記ストラップを終端するテンショナ端から前記ストラップの中央部までを含む第１の部分と、前記ストラップに固定されたクリップによる前記ストラップの終端から前記ストラップの中央部までを含む第２の部分とを有し、
前記第１の部分と前記第２の部分とは、前記中央部の接続部分を介して連結されており、
前記テンショナは、使用時に着用者の頭部に面する下側表面、反対側の上側表面、及び前記テンショナ端に取り付けるための取付部分を有し、
使用時において前記第２の部分は、前記テンショナを通り、
前記クリップは、第２の部分上のクリップ端からスペースを空けた位置に解除可能に固定されることを特徴とするストラップ。
【請求項２】
請求項１に記載のストラップであって、
前記クリップは、前記第２の部分に解除可能に固定でき、前記第２の部分に沿って移動できることを特徴とするストラップ。
【請求項３】
請求項１又は請求項２に記載のストラップであって、
前記テンショナの前記上側表面及び前記下側表面は、凸面であることを特徴とするストラップ。
【請求項４】
請求項３に記載のストラップであって、
前記上側表面及び前記下側表面は、６５ｍｍ〜９０ｍｍの曲率半径を有することを特徴とするストラップ。
【請求項５】
請求項１から請求項４のいずれか一つに記載のストラップであって、
前記上側表面及び前記下側表面は、８６ｍｍの曲率半径を有することを特徴とするストラップ。
【請求項６】
請求項２から請求項５のいずれか一つに記載のストラップであって、
前記第１の部分は、前記テンショナ端とは反対側の第１のアイウェア接続端を有し、
前記第２の部分は、前記クリップ端とは反対側の第２のアイウェア接続端を有し、
前記第１のアイウェア接続端及び前記第２のアイウェア接続端は、使用時に着用者の後頭部を通る接続部分によって接続されることを特徴とするストラップ。
【請求項７】
請求項１から請求項６のいずれか一つに記載のストラップであって、
前記テンショナは、前記取付部分から延びる二つのアームを備え、
前記二つのアームの取付部分から遠い方の端は、それぞれ歯を含み、
前記歯は、前記取付部分から遠い方の開口を定め、
前記歯は、前記テンショナの前記下側表面より前記上側表面に近く、
前記テンショナは、前記二つのアーム間に延びる二つのクロスバーを更に備え、
前記取付部分から遠い方のクロスバーは、前記テンショナの前記上側表面より前記下側表面に近いことを特徴とするストラップ。
【請求項８】
請求項１から請求項７のいずれか一つに記載のストラップであって、
前記テンショナの取付部分は、爪部を有し、
前記爪部は、該爪部の幅を横切って伸びる少なくとも一つのリブを有し、
前記少なくとも一つのリブは、前記爪部より大きい幅及び厚さの少なくとも一方を有し、
前記爪部及び前記リブによって、該テンショナとストラップとが結合されることを特徴とするストラップ。
【請求項９】
請求項８に記載のストラップであって、
前記取付部分は、少なくとも二つの前記リブを有することを特徴とするストラップ。
【請求項１０】
請求項８又は請求項９に記載のストラップであって、
前記爪は、少なくとも一つの孔をさらに有することを特徴とするストラップ。
【請求項１１】
請求項１から請求項１０のいずれか一つに記載のストラップであって、
前記クリップは、挿入部及び開口を定める一対の固定部を備え、
前記ストラップの前記第２の部分は、前記開口を通して前記挿入部に挿入可能であることで、前記クリップを前記第２の部分に解除可能に固定することを特徴とするストラップ。
【請求項１２】
請求項１から請求項１１のいずれか一つに記載のストラップであって、
前記第２の部分は、当該第２の部分の長手方向の少なくとも一部に沿って設けられている印を有し、使用時に前記第２の部分は前記テンショナを通り、
前記テンショナは、前記第２の部分の少なくとも一つの印を見えるようにする窓を有することを特徴とするストラップ。
【請求項１３】
請求項１から請求項１２のいずれか一つに記載のストラップを有する水泳用ゴーグル又はマスク。
【発明の詳細な説明】
【技術分野】
【０００１】
本発明はストラップに関する。特に、本発明は、衣類（例えばスポーツウェア）又は物品（例えばハンドパドル若しくは足ひれ等のスポーツ用品）を着用者／ユーザの身体に固定するのに有用なストラップ（又はベルト）に関する。特に好ましい実施の形態は、安全用及び／又はスポーツ用のアイウェア等のためのヘッドストラップに関する。
【背景技術】
【０００２】
アイウェアの紛失又はずれを回避するためにアイウェアを着用者の頭部に固定することが望ましい場合が多い。水泳又はスキー等のスポーツ活動において着用されるアイウェア（例えばゴーグル又はマスク）の場合、アイウェアを着用者の顔に固定することが特に重要であり、通常はこのために弾性のヘッドストラップが用いられる。
【０００３】
理想的には、これらのヘッドストラップは、頭部の大きさに応じて調節可能であるとともに、着用者が自身の所望のストラップの張りを調節することを可能にする必要がある。この調節機能を達成する一つの方法は、ストラップを通すバックルであって、アイウェアが適切な位置に位置すると、ストラップの自由端を引っ張ってヘッドストラップを締め付けるバックルを提供することであった。バックル調節構成に関連する一つの問題は、アイウェアが適所にあるときに自由端がはためくことによって不快感を引き起こし、注意を散漫させる可能性があることである。
【発明の概要】
【発明が解決しようとする課題】
【０００４】
従来の調節構成に関連する他の問題は、アイウェアが着用されているときに、バックルは、頭部の後ろから大きく突出する可能性があることである。これは、特に頭部にぴったりフィットする帽子（ハット又はキャップ）をストラップの上から着用する場合に不快感を引き起こす可能性がある。さらに、水泳用のゴーグルの場合、バックルの突出は、（バックルがスイミングキャップによって覆われていようとなかろうと）摩擦抗力を発生させる可能性があり、これは望ましくない。
【０００５】
最後に、ストラップが締め付けられると、幾つかの理由からストラップの張りを再調節することが困難である可能性がある。第１に、ヘッドストラップは締め付けることより緩めることの方が困難であり、ヘッドストラップを緩めるにはアイウェアを外すことが必要な場合もある。第２に、着用者が競技スポーツ活動に参加している場合、競技活動が始まってからしかヘッドストラップが不適切に調節されていることが明らかになる場合があり、この時点では何らかの更なる調節を行うには遅すぎる。この理由から、ヘッドストラップが適切に調節されていることを着用者が確かめることができるように、ヘッドストラップの張りの確実で正確な測定を可能にする何らかの手段を提供することが望ましい。
【課題を解決するための手段】
【０００６】
第１の態様では、本発明は、衣類又は物品（例えば、スポーツ用の衣類又は物品）を着用者／ユーザの身体に固定するストラップであって、ストラップは、テンショナ端を有する第１の部分を有し、テンショナ端はテンショナに含まれるとともに、テンショナにおいて終端し、テンショナは、使用時に着用者の身体に面する下側表面、反対側の上側表面、及び前記テンショナ端に取り付けるための取付部分を有し、さらにストラップは、クリップ端を有する第２の部分を有し、クリップ端はクリップに固定され、クリップnにおいて終端し、使用時において第２の部分はテンショナを通り、クリップは第２の部分上のクリップ端からスペースを空けた位置に解除可能に固定されるストラップを提供する。
【０００７】
テンショナ及びクリップで終端する二つの端を有するストラップを提供することによって、クリップは、第２の部分をテンショナに通した後で第２の部分に解除可能に固定でき、自由端がパタパタと動くことによって不快感を引き起こし、注意の散漫させる問題を解決できる。
【０００８】
好ましくは、クリップは第２の部分（クリップ端からスペース開けた位置）に解除可能に固定できるとともに第２の部分に沿って（例えば摺動によって）移動可能である。これによっては、第２の部分におけるテンショナとクリップ端との間に生じる緩みを防止でき、この場合も同様に不快感及び注意の散漫の可能性を低減する。
【０００９】
好ましくは、ストラップはアイウェア用のヘッドストラップであり、テンショナは、使用時に着用者の頭部に面する下側表面を有する。
【００１０】
好ましい実施の形態では、テンショナの上側表面及び下側表面は湾曲して凸状面になっている。好ましくは、テンショナの上側表面及び下側表面は湾曲して凸状の円筒面になっている。曲率半径は好ましくは６５ｍｍ〜９０ｍｍである。より好ましくは、曲率半径は７５ｍｍ〜９０ｍｍであり、最も好ましくは８４ｍｍ〜８８ｍｍである。曲率半径は好ましくは、平均的な男性の９５パーセンタイルの頭部の後部の湾曲に適合するように選択される。この場合、曲率半径は約８６ｍｍである。
【００１１】
テンショナの凸状に湾曲した上側表面及び下側表面を設けること（湾曲したテンショナを提供することと同じである）によって、テンショナを着用者の身体にフィットさせることが可能である。ヘッドストラップのテンショナを着用者の頭部にフィットさせることは、着用者が、ぴったりフィットする帽子（ハット又はキャップ）をヘッドストラップの上から着用する場合の不快感を最小限に抑える。湾曲したテンショナは、着用者の頭部から突出しないため、ストラップが水泳用ゴーグルに用いられる場合に水の抵抗を低減するのにも役立つ。
【００１２】
幾つかの実施形態では、テンショナは、取付部分から延びる二つのアームを形成するフレームを備え、これらのアームの取付部分から遠い方の端はそれぞれ歯を含み、該歯は取付部分から遠い方の開口を定め、歯は、テンショナの下側表面より上側表面に近く、テンショナは、アーム間に延びる二つのクロスバーを更に備え、取付部分から遠い方のクロスバーはテンショナの上側表面より下側表面に近い。
【００１３】
この構成は、テンショナの厚さを最小限に抑える（例えば、頭部にぴったりフィットする帽子（ハット又はキャップ）を装着したときに不快感を低減し、また摩擦抵抗を低減する）のに有用である。使用時に、ストラップの第２の部分は、歯、及び取付部分から遠い方のクロスバーの周りに二重の層として位置する（一方で第２の部分は、取付部分に近い方のクロスバーの周りでループ状になるため一つの層のみが近い方のクロスバーの両側に位置する）。遠い方のクロスバーと歯とのずれは、二重の層になった第２の部分が、テンショナの表面を越えて突出することを防止するのに役立つ。第２の部分の二重の層は遠い方のクロスバーの上を通るため、遠い方のクロスバーを上側表面から離して位置決めすることは、二重の層が上側表面上に突出することなく位置できるスペースを提供するのに役立つ。第２の部分の二重の層は歯の下を通るため、歯を下側表面から離して（例えば上側表面と同一平面上に）位置決めすることは、二重の層が下側表面の下に突出することなく位置できるスペースを提供するのに役立つ。
【００１４】
取付部分に近い方のクロスバーは、テンショナの上側表面と下側表面との中間に位置することができるが、好ましくは上側表面に向かって僅かにずらされる。これは、第２の部分をテンショナ内への挿入を容易にするのに役立つ。
【００１５】
好ましくは、テンショナは、ポリカーボネート等のプラスチック材料で形成される。
【００１６】
好ましい実施の形態では、テンショナの取付部分は、爪部の幅を横切って延びる少なくとも一つのリブを有する爪部を備え、少なくとも一つのリブは爪部より大きい幅及び／又は厚さを有する。好ましくは、取付部分は少なくとも二つのリブを備える。より好ましくは、上記爪部は少なくとも一つの孔を更に含む。
【００１７】
爪部、少なくとも一つのリブ及び孔は、テンショナをストラップのテンショナ端に取り付けるときに役立つように設けられている。好ましくは、ストラップは、取付部分の周りに成形される（例えば射出成形又は圧縮成形される）プラスチック材料（例えばシリコーン）で形成される。少なくとも一つのリブを設けること、及び少なくとも一つの孔を任意に設けることによって、成形されたプラスチック材料と取付部分との間の結合を堅固にできる。
【００１８】
別の方法としては、ストラップ、例えばシリコーン製のストラップは、例えば、スナップ式の接続のような幾つかの他の接続手段を用いて、第１の部分の端に接続されてもよい。
【００１９】
好ましくは、クリップは、挿入部（channel）及び開口を定める一対の固定部（jaws）を備え、ストラップの第２の部分は、上記開口を通して上記挿入部に挿入可能であることでクリップを第２の部分に解除可能に固定する。挿入部は好ましくは、長辺及び短辺を有する断面（例えば矩形の断面）を有し、断面の長辺は第２の部分の幅と実質的に一致する。これは、第２の部分が挿入部内にぴったりと嵌まることを確実にし、これによってクリップが第２の部分に沿って不用意に移動することを防止する。
【００２０】
好ましくは、短辺を定めるクリップの短辺は、該クリップの短辺がテンショナのサイドアーム間及び二つのクロスバー間を通ることができるように十分に小さい。逆に、長辺を定めるクリップの長辺（これはストラップの第２の部分の幅と少なくとも一致しなければならない）は通常、テンショナのサイドアームとクロスバーとの間の距離より大きいため、クリップは、該クリップの長辺が表されるときは通ることができない。この構成は、（クロスバーの方向の）テンショナの幅を低減することを可能にする（このことは摩擦抗力を低減し、着用者の快適さを高めるのに役立つ）。テンショナは、クリップの長辺ではなく短辺の通過を可能にするのに十分な幅を有するだけでよい。
【００２１】
好ましくは、クリップは、ポリカーボネート等のプラスチック材料で形成される。
【００２２】
好ましい実施の形態では、クリップは、爪部（tab）の幅を横切って延びる少なくとも一つのリブを有する爪部を有するクリップ取付部分を備え、少なくとも一つのリブは爪部より大きい幅を有する。より好ましくは、上記爪部は少なくとも一つの孔を更に含む。追加的に、又は別の方法として、孔がクリップの長辺側の凹部に設けられてもよく、凹部はストラップのクリップ端によって覆われる。
【００２３】
爪部、リブ及び孔は、クリップを、ストラップのクリップ端部に取り付けるときに役立つように設けられている。好ましくは、ストラップは、クリップ取付部分の周りに成形される（例えば射出成形又は圧縮成形される）プラスチック材料（例えばシリコーン）で形成される。リブを設けること、及び少なくとも一つの孔を任意に設けることによって、成形されたプラスチック材料とクリップ取付部分との間の結合を堅固にできる。
【００２４】
別の方法としては、ストラップ、例えばシリコーン製のストラップは、例えば、スナップ式の接続のような幾つかの他の接続手段を用いて、第１の部分の端に接続されてもよい。
【００２５】
好ましい実施の形態では、第２の部分は、長手方向の少なくとも一部に沿って設けられている印を有する。好ましくは、テンショナは、ストラップの使用時に第２の部分の少なくとも一つの印を見えるようにする窓を有する。窓は好ましくはサイドアーム、歯及び取付部分によって定められる。第２の部分に印を設けることによって、ストラップの所望の張りを確実に再現することが可能である。例えば、着用者は、ストラップを所望の張りに合わせてから、所望の張りにおいてテンショナ窓内の印を見ることができる。この場合、着用者は、所望の張りを再び生じさせるために、同じ印がテンショナ窓内に位置するようにストラップを調節できることが分かる。
【００２６】
印は目に見える印及び／又は触って分かる印とすることができる。印は数字の印であってもよい。
【００２７】
好ましくは、ストラップは、所望の印をテンショナ窓内に正確に位置決めするのに有用な指標を含む。指標はテンショナに設けることができる。指標は、テンショナのサイドアーム、テンショナの取付部分、又はテンショナに隣接するストラップの第１の部分に設けることができる。指標は線状の要素又は矢印状の要素とすることができる。指標は、テンショナ又は第１の部分の表面を陥没させることによって形成されてもよい。指標を設けることによって、着用者は、テンショナ窓内の所望の印の必要な位置をより正確に判断することができる。
【００２８】
好ましくは、ストラップがアイウェア用のヘッドストラップである場合、ヘッドストラップの第１の部分は、テンショナ端とは反対側の第１のアイウェア接続端を有し、ヘッドストラップの第２の部分はクリップ端とは反対側の第２のアイウェア接続端を有する。最も好ましくは、第１のアイウェア接続端及び第２のアイウェア接続端は接続部分を介して互いに接続されており、接続部分は、使用時に、第１の部分、第２の部分及び接続部分が着用者の後頭部の周りに二重ループを形成するように着用者の後頭部の周りを通る。この場合、本発明は、一体のテンショナ及びクリップを有する一体型二重ループストラップを提供する。
【００２９】
好ましくは、ストラップは、（例えばドライブ若しくはスキー用の）マスク又は（例えば水泳用の）ゴーグルのようなスポーツアイウェア用のヘッドストラップである。（上述したような）二重ループストラップは、水泳用ゴーグル等、特に競技イベントにおいて用いられるスポーツアイウェアに特に望ましい。
【００３０】
ここで、本発明の好ましい実施形態を、添付の図面を参照して説明する。
【図面の簡単な説明】
【００３１】
【図１】本発明の第１の実施形態の上面図である。
【図２】本発明の第１の実施形態の底面図である。
【図３】本発明の第１の実施形態の線Ａ−Ａに沿った長手方向断面を示す図である。
【図４】本発明の第１の実施形態の側面図である。
【図５ａ】テンショナの上面側斜視図である。
【図５ｂ】テンショナの底面側斜視図である。
【図６ａ】テンショナ又はストラップの一部の上面側斜視図である。
【図６ｂ】テンショナ又はストラップの一部の底面側斜視図である。
【図７ａ】クリップの上面側斜視図である。
【図７ｂ】クリップの底面側斜視図である。
【図８ａ】クリップ又はストラップの一部の上面側斜視図である。
【図８ｂ】クリップ又はストラップの一部の底面側斜視図である。
【図９】ゴーグルヘッドストラップ支持体とともに組み立てられた第１の実施形態のヘッドストラップを示す図である。
【図１０】第１の実施形態が組み立てられた場合のテンショナの断面図である。
【発明を実施するための形態】
【００３２】
図１、図２、図３及び図４は、水泳用ゴーグルのヘッドストラップの上面図、底面図、長手方向断面図及び側面図を示す。ヘッドストラップは、テンショナ端２を有する第１の部分１を有する。テンショナ端２は、図５ａ、図５ｂ、図６ａ及び図６ｂにより詳細に示されるテンショナ３を含むとともに該テンショナ３において終端している。ヘッドストラップは、クリップ端５を備える第２の部分４を更に含む。クリップ端は、図７ａ、図７ｂ、図８ａ及び図８ｂにより詳細に示されているクリップ６を含むとともに該クリップ６を終端させる。第１の部分１及び第２の部分４は、接続部分（図示せず）を介して互いに連結されている。以下で説明するように、使用時に、第２の部分４はテンショナ３を通り、クリップ６は第２の部分４に解除可能に固定できる。
【００３３】
図５ａ／図５ｂ及び図６ａ／図６ｂは、本発明において有用なポリカーボネートテンショナを示す。ポリカーボネートテンショナは、使用時に着用者の頭部に面する下側表面７と、反対側の上側表面８とを有する。ポリカーボネートテンショナはまた、テンショナ端２に取り付けるための取付部分９を含む。
【００３４】
テンショナ３の上側表面８及び下側表面７は、湾曲して、およそ８６ｍｍの曲率半径を有する凸状の円筒面になる。曲率半径は、平均的な男性の９５パーセンタイルの後頭部の湾曲に適合するように設定される。この湾曲した断面形状は着用者の頭部へのテンショナのフィット性を高めるため、着用者がぴったりフィットする帽子（ハット又はキャップ）をヘッドストラップの上から装着する場合の不快感を最小限に抑えることができる。
【００３５】
テンショナは、取付部分９から延びる二つのアーム１０、１０’によって形成されるフレームを備える。各アームの取付部分から遠い方の端はそれぞれ歯１１、１１’を備える。これらの歯は、取付部分９から遠い方に開口１２を定める。歯１１、１１’は、テンショナ３の下側表面７より上側表面８に近い。テンショナは、アーム１０、１０’間に延びる二つのクロスバー１３、１４を更に備える。取付部分９から遠い方のクロスバー１３は、テンショナ３の上側表面８より下側表面７に近い。取付部分９に近い方のクロスバー１４は、テンショナの上側表面８と下側表面７との間の中間に位置付けることができるが、好ましくは上側表面８に向かって僅かにずらされる。この構成は、以下で説明するように、第２の部分をテンショナに通したときにテンショナの断面形状を最小限に抑えるのに役立つ。
【００３６】
（図５ａ及び図５ｂに示される）テンショナの取付部分９は、爪部１５の幅を横切って延びる二つのリブ１６を有する爪部１５を備える。リブは、爪部１５より大きい幅及び厚さを有する。爪部はまた二つの孔１７を含む。爪部１５、リブ１６及び孔１７は、ヘッドストラップのテンショナ端２へテンショナ３を取り付けるときに役立つように設けられている。ヘッドストラップは、図６ａ及び図６ｂに示されるように取付部分９の周りに成形される（例えば射出成形又は圧縮成形される）プラスチック材料（例えばシリコーン）で形成される。リブ及び孔を設けることによって、テンショナ端２を形成するプラスチック材料と取付部分９との間の結合を堅固にすることが可能である。図３は、テンショナ端２を形成するプラスチック材料内にクロスバー１３、１４が埋め込まれている様子を示す。
【００３７】
図７ａ／図７ｂ及び図８ａ／図８ｂは、本発明において有用なポリカーボネートクリップ６を示す。クリップ６は、挿入部１９及び開口２０を定める一対の固定部１８、１８’を備える。ヘッドストラップの第２の部分４は、開口２０を通して挿入部１９に挿入可能であることによって、クリップ６を第２の部分４に解除可能に固定する。挿入部は、長辺２１及び短辺２２を有する矩形の断面を有し、断面の長辺２１は第２の部分の幅と実質的に一致する。これによって、第２の部分が挿入部内にぴったりと確実に嵌合することができ、クリップが第２の部分に沿って不用意に移動することが防止できる。
【００３８】
短辺２２を定めるクリップ６の短辺２３は、該クリップの短辺が、テンショナ３の、サイドアーム１０、１０’間、二つのクロスバー１３、１４間、及び取付部分に近い方のクロスバー１４と取付部分９との間を通ることができるように十分に小さい。逆に、長辺２１を定めるクリップ６の長辺２４（これはヘッドストラップの第２の部分４の幅と少なくとも一致しなければならない）は通常、テンショナのサイドアーム１０、１０’間、クロスバー１３、１４間、及びクロスバー１４と取付部分との間の距離より大きいため、クリップ６は、該クリップの大きい方の辺が呈されているときはサイドアーム１０、１０’間、クロスバー１３、１４間、及びクロスバー１４と取付部分との間を通ることができない。この構成は、（クロスバーの方向の）テンショナの幅を低減することを可能にする（このことは摩擦抗力を低減し、着用者の快適さを高めるのに役立つ）。テンショナは、クリップの長辺ではなく短辺の通過を可能にするのに十分な幅を有していればよい。
【００３９】
クリップは、爪部２６の幅を横切って延びるリブ２７を有する爪部２６を有する取付部分２５を備え、リブは爪部より大きい幅を有する。爪部は孔２８を更に含み、別の孔２９がクリップの凹部３０に設けられている。
【００４０】
爪部、リブ及び孔は、クリップ６をヘッドストラップのクリップ端５に取り付けるときに役立つように設けられている。ヘッドストラップは、クリップのクリップ取付部分２５及び凹部３０の周りに成形される（例えば射出成形又は圧縮成形される）プラスチック材料（例えばシリコーン）で形成される。リブ及び孔を設けることによって、成形されたプラスチック材料とクリップ６との間の結合を堅固にできる。
【００４１】
使用時に、クリップ６及びクリップ端５を、第１のヘッドストラップ支持体３１に設けられている孔に通し、続いて、第２のヘッドストラップ支持体３１’に設けられている孔に通すことによって、ヘッドストラップは水泳用ゴーグルに最初に接続される。これらの孔は、ヘッドストラップ支持体３１、３１’の寸法高さを最小限に抑えるためにクリップ６の短辺２３のみを受け入れるように寸法が決められる。クリップ６及びクリップ端５をヘッドストラップ支持体の孔に通すことによって、図９に示されるように二つのヘッドストラップ支持体３１、３１’間に延びるストラップのループ３２（接続部分）が得られる。ストラップのテンショナ端２は、一方の側の第１のヘッドストラップ支持体３１に位置し続け、ストラップのクリップ端５は、反対側の第２のヘッドストラップ支持体３１’に位置し続ける。
【００４２】
次いで、以下のステップを行う：
１）クリップ６及びクリップ端５を次いで、テンショナ３の歯１１、１１’と取付部分から遠い方のクロスバー１３との間に通す。クリップは、短辺２３のみが歯とクロスバーとの間に適合するため、短辺２３を下側表面７から上側表面８に向かって通す。
２）クリップ６及びクリップ端５を次いで、テンショナ３の取付部分から遠い方のクロスバー１３と取付部分に近い方のクロスバー１４との間に通す。クリップは、短辺２３のみがクロスバー間に適合するため、短辺２３を上側表面８から下側表面７に向かって通す。
３）クリップ６及びクリップ端５を次いで、テンショナ３の取付部分に近い方のクロスバー１４と取付部分９との間に通す。クリップは、短辺２３のみがクロスバーと取付部分との間に適合するため、短辺２３を下側表面７から上側表面８に向かって通す。
４）クリップ端５に近い方のストラップの第２の部分４を次いで、取付部分９に近い方のクロスバー１４に回してループ状にして通って来たルートを通り、開口１２に挿入して歯１１、１１’の下に通す。この結果、図１０に示されるようにクリップ端５がヘッドストラップの第２の部分４にループ状にして戻される。
【００４３】
図１０に示されるように、テンショナの歯１１、１１’及びクロスバー１３、１４の構成は、テンショナの厚さを最小限に抑えるのに役立つ（これによって、ぴったりフィットする帽子（ハット又はキャップ）を装着したときの不快感を低減し、また摩擦抵抗を低減する）。ヘッドストラップの第２の部分４は、歯１１、１１’、及び取付部分から遠い方のクロスバー１３に対して二重の層として位置し、一方で第２の部分４は、取付部分９に近い方のクロスバー１４の周りでループ状になるため、一つの層のみが近い方のクロスバー１４の両側に位置することが分かる。遠い方のクロスバー１３と歯１１、１１’とのずれは、二重の層になった第２の部分４の、テンショナ３の表面７、８を越えて突出することを防止するのに有用である。第２の部分４の二重の層は遠い方のクロスバー１３の上を通るため、遠い方のクロスバー１３を上側表面８から離して位置決めすることは、二重の層が上側表面８の上方から突出することなく位置できるスペースを提供するのに役立つ。第２の部分４の二重の層は歯１１、１１’の下を通るため、歯を下側表面７から離して位置決めすることは、二重の層が下側表面７の下方から突出することなく位置できるスペースを提供するのに役立つ。
【００４４】
図９において分かるように、クリップは、第２の部分４を開口２０を通して挿入部１９に挿入することによってクリップ端から離れた第２の部分４に固定される。
【００４５】
テンショナ３及びクリップ６で終端する二つの端を有するヘッドストラップを提供することによって、クリップ６は、第２の部分４をテンショナ３に通した後で第２の部分に解除可能に固定でき、自由端がパタパタと動くことで不快感を引き起こし、注意の散漫させる問題を解決できる。
【００４６】
クリップ６は、第２の部分４に解除可能に固定でき、第２の部分４に沿って摺動することによって移動可能である。これによって、第２の部分４におけるテンショナ３とクリップ端５との間に緩みが生じることを防止でき、この場合も同様に不快感及び注意の散漫の可能性を低減する。この移動は、以下に説明するようにヘッドストラップの張りの調節に役立つようにすることが望ましい。
【００４７】
第２の部分４は、その長手方向の少なくとも一部に沿って裏面に設けられる目に見える印３２を有する。テンショナ３は、ヘッドストラップの使用時に第２の部分４上の上記印３２のうちの少なくとも一つが見える、窓３３を含む。窓は、サイドアーム１０、１０’、歯１１、１１’及び取付部分９によって定められる。印３２を第２の部分に設けることによって、ヘッドストラップの所望の張りを確実に再現することが可能である。着用者は、ヘッドストラップを所望の張りに合わせてから、所望の張りにおいてテンショナ窓内の印３２’を見ることができる。この場合、着用者は、所望の張りを再び生じさせるために、同じ印３２’がテンショナ窓３３内に位置するようにヘッドストラップを調節できることが分かる。
【００４８】
テンショナは、所望の印３２’をテンショナ窓３３内に正確に位置決めするのに有用な指標３４を含む。指標は矢印状の要素である。指標は、テンショナの上側表面８から突出する。指標３４を設けることによって、着用者は、テンショナ窓３３内の所望の印３２’の必要な位置をより正確に判断することができる。
【図１】
0006042419.tif 000002
【図２】
0006042419.tif 000003
【図３】
0006042419.tif 000004
【図４】
0006042419.tif 000005
【図５ａ】
0006042419.tif 000006
【図５ｂ】
0006042419.tif 000007
【図６ａ】
0006042419.tif 000008
【図６ｂ】
0006042419.tif 000009
【図７ａ】
0006042419.tif 000010
【図７ｂ】
0006042419.tif 000011
【図８ａ】
0006042419.tif 000012
【図８ｂ】
0006042419.tif 000013
【図９】
0006042419.tif 000014
【図１０】
0006042419.tif 000015